(57)【特許請求の範囲】
【請求項１】
屋根下地上の瓦上に、桁行方向に長い太陽電池モジュールを設置し、瓦に一体形成された係合突起を、太陽電池モジュールの下面に一体化された連結部材の下方開口状の挿入部位内に挿通状態とすると共に、挿入部位内に形成した係合段部を、上記係合突起の上部より側方へ突設された係合突部の下方に位置させたことを特徴とする太陽電池モジュールを設置した瓦屋根構造。
【請求項２】
瓦と太陽電池モジュールの間に弾性材を介設したことを特徴とする請求項１記載の太陽電池モジュールを設置した瓦屋根構造。
【請求項３】
太陽電池モジュールの上側端面部に、上下方の瓦の隙間への挿入突片を設けたことを特徴とする請求項１又は２記載の太陽電池モジュールを設置した瓦屋根構造。
【請求項４】
連結部材と太陽電池モジュールを分離可能に一体化したことを特徴とする請求項１、２又は３記載の太陽電池モジュールを設置した瓦屋根構造。
【請求項５】
請求項１乃至請求項４に記載の瓦屋根構造に使用する瓦であって、上面の中央付近に係合突起を一体突設すると共に、該係合突起の上部より側方へ係合突部を突設したことを特徴とする太陽電池モジュールを設置した瓦屋根構造に使用する瓦。
【請求項６】
請求項４記載の瓦屋根構造に使用する連結部材であって、断面逆門型状の基体部の両側上部より外方へ太陽電池モジュールの受承板部を連続形成し、基体部の底部の両端部より上方へ位置決め板部を立設すると共に、該位置決め板部における基体部の上部より突出した上端部より内方へ押さえ板部を連続形成し、基体部の下部に、瓦の係合突起の上部が挿通可能な挿入口を形成したことを特徴とする太陽電池モジュールを設置した瓦屋根構造に使用する連結部材。
【請求項７】
少なくとも一方の位置決め板部を基体部に対し着脱自在としたことを特徴とする請求項６記載の太陽電池モジュールを設置した瓦屋根構造に使用する連結部材。
【請求項８】
挿入口を、係合突起の上端部が挿通可能な仮挿通部と、該仮挿入部に連続形成した、係合突起の基端部が挿通可能な挿通部により構成したことを特徴とする請求項６又は７記載の太陽電池モジュールを設置した瓦屋根構造に使用する連結部材。
【発明の詳細な説明】
【０００１】
【発明の属する技術分野】
本発明は、太陽電池モジュールを設置した瓦屋根構造に関する。
【０００２】
【従来の技術】
従来、瓦屋根に太陽電池モジュールを設置する場合、金属瓦を普通の瓦と混在させたると共に、該金属瓦に太陽電池モジュールを固定したり、或いは瓦屋根上に構築した架台に太陽電池モジュールを固定する様にしている。
又、瓦自体に太陽電池モジュールを一体化したものも見受けられる。
【０００３】
【発明が解決しようとする課題】
しかし、前者の場合、規則的に金属瓦を混在させねばならなかったり、瓦葺設後に別途架台を構築せねばならず、太陽電池モジュールの設置作業が面倒であり、後者の場合、防水機能を具備させるために、配線が瓦の下面側から引き出されているため、配線作業が困難である等解決せねばならない課題があった。
【０００４】
【課題を解決するための手段】
本発明は、上記従来技術に基づく、太陽電池モジュールの設置作業及び設置後の配線作業の困難性等の課題に鑑み、屋根下地上の瓦上に、桁行方向に長い太陽電池モジュールを設置し、瓦に一体形成された係合突起を、太陽電池モジュールの下面に一体化された連結部材の下方開口状の挿入部位内に挿通状態とすると共に、挿入部位内に形成した係合段部を、上記係合突起の上部より側方へ突設された係合突部の下方に位置させる様に、葺設状態の瓦上に配置した連結部材を、該連結部材における挿入部位内に瓦の係合突起の上部を差し込む様に下ろした後、連結部材をスライドさせることで、瓦に対し連結部材を一体化した太陽電池モジュールを固定したり、或いはスライド後に連結部材上に太陽電池モジュールを載置、固定して、太陽電池モジュールを設置、固定することによって、設置作業の容易化を図る様にし、且つ配線作業を、隣接する太陽電池モジュールのコードを単に接続するだけの作業にして、上記課題を解決する。
【０００５】
【発明の実施の形態】
以下本発明の一実施例を図面に基づいて説明する。
図１は、太陽電池モジュールを設置する瓦屋根に使用する瓦の平面図であり、図２は、図１の正面図であり、図３は、太陽電池モジュールの底面図であり、図４、５は、２パターンの係合突起と連結部材の係合過程を示す要部斜視図であり、図６は、太陽電池モジュールを設置した瓦屋根の平面図であり、図７は、図６の要部拡大図であり、図８は、図７のＸ１ーＸ１断面の要部拡大図であり、図９は、図７のＹ１ーＹ１断面の要部拡大図である。
図６〜８に示す様に、屋根下地上に葺設された両側方に高所を有する瓦１、1a…における、桁行方向の瓦１、1a…上に、該桁行方向に長い横長矩形状の太陽電池モジュール４、4a…を列設し、各太陽電池モジュール４、4a…と瓦１、1a…間に設けた複数個の連結部材５、5a…により、各太陽電池モジュール４、4a…を瓦１、1a…に一体化している。
【０００６】
図１、２、４に示す様に、各瓦１、1a…の上面の低所にして各瓦１、1a…の中央付近に係合突起２を突設すると共に、該係合突起２の上部より両側方へ夫々係合突部３、３を一体突設して、係合突起２をＴ字型に形成したり、或いは図５に示す様に、係合突起２の一側方より係合突部３を突設して係合突起２を鉤型に形成している。
【０００７】
先ず、各連結部材５、5a…の第１実施例としては、図３、８に示す様に、太陽電池モジュール４、4a…の下面に固設一体化した逆門型状の屈曲板とし、各連結部材５、5a…の下部に形成した挿入口６及びその上方空間により、各瓦１、1a…における係合突起２の挿入部位７を下方開口状に形成している。又、挿入部位７の挿通口６を、係合突起２の上部が挿通可能な仮挿通部6aと、係合突起２の基端部が挿通可能な、仮挿通部6aより幅狭な挿通部6bとで構成している。
【０００８】
次に、各連結部材５、5a…の第２実施例を図面に基づいて説明する。
図１２は、太陽電池モジュールにおける連結部材の第２実施例の底面図であり、図１３は、図１２のＺーＺ断面の要部拡大図である。
各連結部材５、5a…を中実状の突体とし、各連結部材５、5a…の下部に挿入口６を有した、各瓦１、1a…における係合突起２の挿入部位７を下方開口状に凹設している。
挿入部位７の下方部位における両側部の後部（葺設状態における流れ方向の上方側部）の一方又は両方より内方突出部11、11を設けて、挿通口６を、係合突起２の上部が挿通可能な仮挿通部6aと、係合突起２の基端部が挿通可能な、仮挿通部6aより幅狭な挿通部6bとで構成する様にしている。
【０００９】
次に、各連結部材５、5a…の第３実施例を図面に基づいて説明する。
図１６は、太陽電池モジュールにおける連結部材の第３の実施例の斜視図であり、図１７は、図１６のＺ２ーＺ２断面における一部を破断省略した拡大図であり、図１８は、係合突起と連結部材の他の実施例の係合過程を示す要部斜視図であり、図１９は、図１６の連結部材を使用して太陽電池モジュールを設置した瓦屋根の平面図の要部拡大図であり、図２０は、図１９のＸ２ーＸ２断面の要部拡大図であり、図２１は、図１９のＹ２ーＹ２断面の要部拡大図である。
連結部材５、5a…を各太陽電池モジュール４、4a…に対し分離可能とし、各連結部材５、5a…の基体部15を、断面逆門型状にして太陽電池モジュール４、4a…の縦幅と略同寸に形成すると共に、基体部15の両側上部より外方へ太陽電池モジュール４、4a…の受承板部16、16a を連続形成している。又、基体部15の底部の両端部より上方へ位置決め板部17、17a を立設すると共に、該位置決め板部17、17a における基体部15の上部より突出した上端部より内方へ押さえ板部18、18a を連続形成し、少なくとも前方側（葺設状態における流れ方向の下方側）の位置決め板部17を基体部15に対し着脱自在とし、受承板部16、16a と押さえ板部18、18a 間の寸法を太陽電池モジュール４、4a…の厚さより若干広く設定している。又、基体部15の底部の中間部に形成した挿入口６及びその上方空間により挿入部位７を下方開口状に形成している。又、挿入部位７の挿入口６は、上記第１実施例と同様の仮挿通部6a及び挿通部6bで構成している。
前方の位置決め板部17における着脱構造としては、基体部15の底部における前端部より上方へ固定板部19を連続形成し、該固定板部19の前方に前方の位置決め板部17を配置すると共に、該前方の位置決め板部17の前方より螺入したネジ20、20a を固定板部19に螺入貫通させて、固定板部19に対し前方の位置決め板部17を着脱可能に固定している。
又、後方の位置決め板部17a 及び押さえ板部18a の内側面に緩衝材21を固着している。
【００１０】
尚、瓦１、1a…における一側方又は両側方に高所が有る場合、上記第１〜３の実施例における連結部材５、5a…の高さを、高所の高さと略同一とし、好ましくは同一又は若干高くして、連結部材５、5a…の下面が瓦１、1a…に接地する様にした方が良い。
【００１１】
次に、係合突起２及び挿入部位７の形態、瓦１、1a…側の係合突起２の連結部材５、5a…側の挿入部位７内への挿入状態、並びに取付工程を説明する。
〔係合突起２がＴ字型の場合〕
図４に示す様に、挿入部位７の挿通口６を、係合突起２の上部が挿通可能な仮挿通部6aと、係合突起２の基端部が挿通可能な、仮挿通部6aより幅狭な挿通部6bとで構成すると共に、仮挿通部6aの後方側（葺設状態における流れ方向の上方側）の中央に挿通部6bを連続形成した凸形状に形成している。又、挿通部6bの両側部における上方角部を係合段部８、８とし、該係合段部８、８の上方に、係合突起２における係合突部３、３が位置している。
そして、図４（ａ）に示す様に、連結部材５、5a…における仮挿通部6a内を、瓦１、1a…における係合突起２の上部を挿入させた後、連結部材５、5a…を前方へスライドさせて、図４（ｂ）に示す様に、係合突起２の基端部を挿通部6bを挿通させれば、係合突起２における係合突部３、３が係合段部８、８の上方に位置する。
〔係合突起２が鉤型の場合のパターン１〕
図５に示す様に、挿入部位７の挿通口６を、上記と同様の仮挿通部6a及び挿通部6bとで構成するが、仮挿通部6aの後方側（葺設状態における流れ方向の上方側）の係合突部３の突出方向とは逆側部分に挿通部6bを連続形成している。又、挿通部6bにおける係合突部３の突出方向側の側部における上方角部を係合段部８とし、該係合段部８の上方に、係合突起２における係合突部３が位置している。
そして、図５（ａ）に示す様に、連結部材５、5a…における仮挿通部6a内を、瓦１、1a…における係合突起２の上部を挿入させた後、連結部材５、5a…を前方へスライドさせて、図５（ｂ）に示す様に、係合突起２の基端部を挿通部6bを挿通させれば、係合突起２における係合突部３が係合段部８の上方に位置する。
〔係合突起２が鉤型の場合のパターン２〕
図１８に示す様に、挿入部位７の挿通口６を、上記と同様の仮挿通部6a及び挿通部6bとで構成するが、仮挿通部6aの後方側（葺設状態における流れ方向上方側）の係合突部３の突出方向側に挿通部6bを連続形成している。又、挿通部6bにおける係合突部３の突出方向側の側部における上方角部を係合段部８とし、該係合段部８の上方に、係合突起２における係合突部３が位置している。
そして、図１８（ａ）に示す様に、連結部材５、5a…における仮挿通部6a内に、瓦１、1a…における係合突起２の上部を挿入した後、連結部材５、5a…を側方へスライドさせて、図１８（ｂ）に示す様に、係合突起２における係合突部３を係合段部８の上方に位置させた後、図１８（ｃ）に示す様に、連結部材５、5a…を前方へスライドさせて、挿通部6bを係合突起２の基端部が挿通状態とする。
【００１２】
尚、図示しないが、仮挿通部6aの側方に挿通部6bを形成しても良く、この場合、係合突起２の上部より瓦１、1a…の頭側及び尻側の一方又は両方に係合突部３を突設すると共に、上記３パターンの実施例の挿入部位７を９０度正逆回転させた形態にする。
又、図示しないが、挿入部位７の挿通口６を、係合突起２の上部が単に挿通可能な形状にし、挿通口６における、係合突部３の突出方向側の側部における上方角部を係合段部８としても良い。
つまり、挿入部位７は、係合突起２の上部が挿通可能な挿通口６を有し、瓦１、1a…に対し連結部材５、5a…を適宜スライドさせることで、係合突起２における係合突部３の下方に位置する係合段部８が形成されていれば良い。
【００１３】
次に、瓦１、1a…と太陽電池モジュール４、4a…の一体化手段について説明する。
瓦１、1a…と太陽電池モジュール４、4a…の間に弾性材９を介設し、該弾性材９は、図１４、２０に示す様な、係合突起２における係合突部３、３の下方に充填したシリコン樹脂系のシーリング材とし、この弾性材９は圧縮変形状態ではなく、太陽電池モジュール４、4a…の設置直前に充填した後、太陽電池モジュール４、4a…を設置することで、連結部材５、5a…の下方に残余したシーリング材が経時硬化して、弾性材９になる様にしている。
又、弾性材９にあっては、図９に示す様に、弾性を有する軟質な合成樹脂製のものとしたり、或いは図１０に示す様な板バネとしても良く、その配置箇所としては、図９に示す様に、瓦１、1a…と太陽電池モジュール４、4a…の本体間であったり、図１０に示す様に、瓦１、1a…と連結部材５、5a…の間としている。又、図９、１０に示す弾性材９にあっては、圧縮変形状態で瓦１、1a…と太陽電池モジュール４、4a…の間に介設され、太陽電池モジュール４、4a…の設置施工上、太陽電池モジュール４、4a…側に、製造過程で又は施工前に固定しておくのが好ましい。
【００１４】
図１１に示す様に、太陽電池モジュール４、4a…の後部（葺設状態における流れ方向の上方側部）に、上下方の瓦１、1a…の隙間への挿入突片12を設けても良く、該挿入突片12を、太陽電池モジュール４、4a…を設置した状態における瓦１、1a…の高所との対応位置に形成している。
又、挿入突片12は、各太陽電池モジュール４、4a…における瓦１、1a…の全ての高所との対応位置に形成するのが好ましい。
【００１５】
上記実施例における瓦１、1a…にあっては、両側方に高所を有すると共に、低所に係合突起２を形成しているが、かかる形態に限定せず、少なくとも１箇所に高所を有するものであったり、或いは図１５に示す様な、上面がフラットな平板瓦であっても良い。
特に、後者の場合、太陽電池モジュール４、4a…の連結部材５、5a…を瓦１、1a…の上面に接地させたり、図示しないが、図７に示す弾性材９と同様の下方支持部材を瓦１、1a…と太陽電池モジュール４、4a…の間に介設する様にしている。この場合に使用する挿入突片12を有する太陽電池モジュール４、4a…にあっては、図示しないが、太陽電池モジュール４、4a…における後部（葺設状態における流れ方向の上方側部）のどこに挿入突片12を形成しても良い。
【００１６】
次に、太陽電池モジュール４、4a…の設置方法について説明する。
先ず、連結部材５、5a…が一体化された太陽電池モジュール４、4a…にあっては、瓦１、1a…上に太陽電池モジュール４、4a…を配置すると共に、太陽電池モジュール４、4a…の下部の連結部材５、5a…における仮挿通部6a内を、瓦１、1a…における係合突起２の上部を挿入させる様に太陽電池モジュール４、4a…を瓦１、1a…上に下ろした後、太陽電池モジュール４、4a…を適宜方向へスライドさせることで、係合突起２における係合突部３が係合段部８の上方に位置されて、太陽電池モジュール４、4a…が瓦１、1a…に一体化する。
次に、連結部材５、5a…が分離可能な太陽電池モジュール４、4a…にあっては、連結部材５、5a…における仮挿通部位6a内に、瓦１、1a…における係合突起２の上部を挿入させる様に連結部材５、5a…を瓦１、1a…上に下ろした後、連結部材５、5a…を適宜方向へスライドさせることで、係合突起２における係合突部３が係合段部８の上方に位置されて、連結部材５、5a…が瓦１、1a…に一体化する。次に、複数個の連結部材５、5a…上に各太陽電池モジュール４、4a…載架すると共に、外しておいた前方の位置決め板部17を取り付けて、太陽電池モジュール４、4a…が瓦１、1a…に一体化する。
【００１７】
次に本発明に係る瓦屋根における瓦と太陽電池モジュールの連結構造の作用について説明する。
瓦１、1a…における係合突起２の係合突部３の下方に、太陽電池モジュール４、4a…における連結部材５、5a…の係合段部８が位置することから、強風下であっても太陽電池モジュール４、4a…が吹き飛ばされることがない。
更に、図９、１０に示す様な弾性材９があれば、瓦１、1a…と太陽電池モジュール４、4a…間の弾性材９の弾性復元力により、太陽電池モジュール４、4a…側の係合段部８、８が、瓦１、1a…側の係合突部３、３の開口部に押圧されて、瓦１、1a…に対し太陽電池モジュール４、4a…が一体化される。
又、挿入突片12を有した太陽電池モジュール４、4a…を設置すれば、太陽電池モジュール４、4a…の後部も瓦屋根側に固定され、瓦屋根との一体性が高くなる。
【００１８】
【発明の効果】
要するに本発明は、屋根下地上の瓦１、1a…上に、桁行方向に長い太陽電池モジュール４、4a…を設置し、瓦１、1a…に一体形成された係合突起２を、太陽電池モジュール４、4a…の下面に一体化された連結部材５、5a…の下方開口状の挿入部位７内に挿通状態としたので、上記瓦１、1a…を葺設した瓦屋根に他の架台などを設置せずに、或いは専用の金属瓦を混在させずに、葺設状態の瓦１、1a…に太陽電池モジュール４、4a…を葺設することが出来るため、太陽電池モジュール４、4a…の設置作業の容易化を図ることが出来、且つ配線作業は隣接する太陽電池モジュール４、4a…のコードを単に接続するだけであるため、配線作業の簡略化を図ることが出来る。
而も、挿入部位７内に形成した係合段部８を、上記係合突起２の上部より側方へ突設された係合突部３の下方に位置させたので、連結部材５、5a…から係合突起２の上端部が抜けないため、強風等により太陽電池モジュール４、4a…が吹き飛ばず、瓦１、1a…と略一体化することが出来る。
又、瓦１、1a…における一側方又は両側方に高所が有る場合、該高所と連結部材５、5a…の高さを略同一とし、高所と連結部材５、5a…の高さが若干異なると、太陽電池モジュール４、4a…上に作業員が載ることで必然的に太陽電池モジュール４、4a…は撓むが、連結部材５、5a…の方が高い場合は太陽電池モジュール４、4a…が高所に接地し、低い場合には連結部材５、5a…の下面が瓦１、1a…の低所に接地して、撓みを無くすか極微量に抑えることが出来るため、太陽電池モジュール４、4a…の踏割れ事故を防止することが出来る。
【００１９】
瓦１、1a…と太陽電池モジュール４、4a…の間に弾性材９を介設したので、太陽電池モジュール４、4a…を下方支持することが出来るため、太陽電池モジュール４、4a…を安定した状態で接地させることが出来る。
又、圧縮変形状態の弾性材９を介設すれば、弾性材９の復元力により、瓦１、1a…側の係合突起２における係合突部３の下部に、太陽電池モジュール４、4a…側の連結部材５、5a…における係合段部８を押圧密着させることが出来るため、瓦１、1a…と太陽電池モジュール４、4a…の一体性の向上を図ることが出来、耐風機能を具備させることが出来る。
【００２０】
太陽電池モジュール４、4a…の上側端面部における瓦１、1a…の高所との対応位置に、上下方の瓦１、1a…の隙間への挿入突片12を設けたので、太陽電池モジュール４、4a…の後部及び中間部の少なくとも２箇所を瓦屋根側に固定することが出来るため、瓦屋根への太陽電池モジュール４、4a…の一体性を更に向上させることが出来る。
【００２１】
連結部材５、5a…と太陽電池モジュール４、4a…を分離可能に一体化したので、瓦１、1a…から連結部材５、5a…を外さずに太陽電池モジュール４、4a…を取り外すことが出来るため、太陽電池モジュール４、4a…の交換を簡単に行うことが出来る。
【００２２】
請求項４記載の瓦屋根構造に使用する連結部材５、5a…であって、断面逆門型状の基体部15の両側上部より外方へ太陽電池モジュール４、4a…の受承板部16、16a を連続形成したので、かかる連結部材５、5a…上に太陽電池モジュール４、4a…を安定状態で載置することが出来る。
又、基体部15の底部の両端部より上方へ位置決め板部17、17a を立設すると共に、該位置決め板部17、17a における基体部の上部より突出した上端部より内方へ押さえ板部18、18a を連続形成したので、位置決め板部17、17a により太陽電池モジュール４、4a…の流れ方向へのずれを防止すると共に、受承板部16、16a と押さえ板部18、18a で太陽電池モジュール４、4a…を上下挟着することで、連結部材５、5a…に対する太陽電池モジュール４、4a…の強風による捲れを防止することが出来る。
又、基体部15の下部に、瓦１、1a…の係合突起２の上部が挿通可能な挿入口６を形成したので、瓦１、1a…における係合突起２を挿入口６を挿通させた後、連結部材５、5a…をスライドさせれば、係合突起２における係合突部３が、基体部15における挿入口６の外周部位の上方に位置して、挿入口６の開口角部に形成される係合段部８と係合状態になるため、瓦１、1a…に対する連結部材５、5a…の上動を規制することが出来るため、連結部材５、5a…に対する太陽電池モジュール４、4a…の強風による捲れも防止されていることと相俟って、瓦１、1a…、即ち瓦屋根に対し太陽電池モジュール４、4a…を一体化することが出来、耐風機能の充実化を図ることが出来、而も設置状態における太陽電池モジュール４、4a…だけを交換することを実現出来る。
又、受承板部16、16a と押さえ板部18、18a で太陽電池モジュール４、4a…を上下挟着することから、そのままでは太陽電池モジュール４、4a…を連結部材５、5a…の上方から載置することが出来ないが、少なくとも一方の位置決め板部17を基体部15に対し着脱自在としたので、一方の位置決め板部17を外した連結部材５、5a…上に太陽電池モジュール４、4a…を載架した後、一方の位置決め板部17をを取り付けることが出来るため、太陽電池モジュール４、4a…の連結部材５、5a…への固定作業の簡易化を図ることが出来る。
而も、挿入部位７の下方の挿入口６を、係合突起２の上端部が挿通可能な仮挿通部6aと、該仮挿入部6aより連続形成した、係合突起２の基端部が挿通可能な挿通部6bにより構成したので、仮挿通部位6aに一旦係合突起２の上端部を挿入した後、太陽電池モジュール４、4a…を適宜方向にスライドさせれば、係合突起２の上端部を挿入部位７内に収容させることが出来ると共に、係合突起２における係合突部３と挿入部位７における挿通部6bに形成された係合段部８を係合状態とすることが出来るため、連結部材５、5a…の設置作業の容易化を図ることが出来ると共に、連結部材５、5a…を介しての太陽電池モジュール４、4a…の瓦１、1a…への設置、固定作業の容易化を図ることが出来る等その実用的効果甚だ大である。
【図面の簡単な説明】
【図１】太陽電池モジュールを設置する瓦屋根に使用する瓦の平面図である。
【図２】図１の正面図である。
【図３】太陽電池モジュールの底面図である。
【図４】係合突起と連結部材の係合過程を示す要部斜視図である。
【図５】他形態の係合突起と連結部材の係合過程を示す要部斜視図である。
【図６】太陽電池モジュールを設置した瓦屋根の平面図である。
【図７】図６の要部拡大図である。
【図８】図７のＸ１ーＸ１断面の要部拡大図である。
【図９】図７のＹ１ーＹ１断面の要部拡大図である。
【図１０】瓦と太陽電池モジュールの連結部材間に弾性材を設けた瓦屋根の断面図である。
【図１１】挿入突片を設けた太陽電池モジュールを設置した瓦屋根の要部拡大断面図である。
【図１２】太陽電池モジュールにおける連結部材の第２の実施例の底面図である。
【図１３】図１２のＺ１ーＺ１断面の要部拡大図である。
【図１４】瓦と太陽電池モジュールの連結部材間にコーキング材からなる弾性材を設けた瓦屋根の断面図である。
【図１５】太陽電池モジュールを設置した上面がフラットな瓦を葺設した瓦屋根の断面図である。
【図１６】太陽電池モジュールにおける連結部材の第３の実施例の斜視図である。
【図１７】図１６のＺ２ーＺ２断面における一部を破断省略した拡大図である。
【図１８】係合突起と連結部材の他の実施例の係合過程を示す要部斜視図である。
【図１９】図１６の連結部材を使用して太陽電池モジュールを設置した瓦屋根の平面図の要部拡大図である。
【図２０】図１９のＸ２ーＸ２断面の要部拡大図である。
【図２１】図１９のＹ２ーＹ２断面の要部拡大図である。
【符号の説明】
１、1a…  瓦
２        係合突起
３        係合突部
４、4a…  太陽電池モジュール
５、5a…  連結部材
６        挿入口
6a        仮挿通部
6b        挿通部
８        係合段部
９        弾性材
12        挿入突片
15        基体部
16、16a   受承板部
17、17a   位置決め板部
18、18a   押さえ板部
【図１】
0003727282.tif 000002
【図２】
0003727282.tif 000003
【図３】
0003727282.tif 000004
【図４】
0003727282.tif 000005
【図５】
0003727282.tif 000006
【図６】
0003727282.tif 000007
【図７】
0003727282.tif 000008
【図８】
0003727282.tif 000009
【図９】
0003727282.tif 000010
【図１０】
0003727282.tif 000011
【図１１】
0003727282.tif 000012
【図１２】
0003727282.tif 000013
【図１３】
0003727282.tif 000014
【図１４】
0003727282.tif 000015
【図１５】
0003727282.tif 000016
【図１６】
0003727282.tif 000017
【図１７】
0003727282.tif 000018
【図１８】
0003727282.tif 000019
【図１９】
0003727282.tif 000020
【図２０】
0003727282.tif 000021
【図２１】
0003727282.tif 000022